(57)【要約】【課題】照明器具の様々な顧客要求仕様に都度新規設計で対応した場合、製品の種類が増えて製造コストや管理コストが高くなる。【解決手段】複数の筐体を直線状に連結して成る照明器具において、隣接する前記筐体は、平板状弾性体の連結パッキンを前記隣接する筐体の端面同士で押圧することにより防水構造となるように連結されており、前記連結パッキン及び該連結パッキンに接触している前記筐体の端部には連通穴が設けられており、前記連結パッキンに設けられた前記連通穴の開口径は前記筐体の端部に設けられた前記連通穴の開口径より小さく設定されていることを特徴とする照明器具。 【選択図】図２
2020107469.tif 000002
【特許請求の範囲】
【請求項１】
複数の筐体を連結して成る照明器具において、
隣接する前記筐体は、平板状弾性体の連結パッキンを前記隣接する筐体の端面同士で押圧することにより防水構造となるように連結されており、
前記連結パッキン及び該連結パッキンに接触している前記筐体の端部には連通穴が設けられており、
前記連結パッキンに設けられた前記連通穴の開口径は前記筐体の端部に設けられた前記連通穴の開口径より小さく設定されていることを特徴とする照明器具。
【請求項２】
請求項１に記載された照明器具において、
前記隣接する筐体のそれぞれは、押出成形された筐体本体部の両端に筐体端板部を有しており、
前記筐体端板部のうち他の筐体と隣接する筐体端板部に連通穴が設けられていることを特徴とする照明器具。
【請求項３】
請求項１または請求項２に記載された照明器具において、
前記隣接する筐体の後面側に、前記隣接する２個の筐体を１枚の平板で連結固定する連結板が設けられていることを特徴とする照明器具。
【請求項４】
請求項２に記載された照明器具において、
前記隣接する筐体の連結部後面側に平板状の連結板が設けられており、前記連結板は取付パッキンを介して前記筐体本体部に固定されていることを特徴とする照明器具。
【請求項５】
請求項４に記載された照明器具において、
前記照明器具の両端部には取付板が取付パッキンを介して取り付けられ、
前記連結板と前記取付板の厚さとは同一であり、かつ同一仕様の取付パッキンを介して同一仕様のネジ部材で締結されていることを特徴とする照明器具。
【発明の詳細な説明】
【技術分野】
【０００１】
本発明は、照明器具に関し、特にトンネルに設置する照明の一部として、停電などで照明器具への給電が遮断された時にもトンネル内を照明することができる照明器具に関するものである。
【背景技術】
【０００２】
照明分野において、例えばトンネル照明においては、高効率・長寿命という特長からＨＩＤランプや低圧ナトリウムランプを使用した照明が多く使用されていた。最近ではさらに高効率・長寿命のＬＥＤを利用した照明器具が普及している。
【０００３】
トンネル照明では例えば「LED道路・トンネル照明導入ガイドライン」に従い、照明器具の一部を「停電時照明」に対応できる照明器具とする場合がある。このような停電時対応照明器具を作る場合、常用点灯の照明器具を利用し、この照明器具の筐体にバッテリーと常用・非常用点灯回路の切換装置と付加すればよい。バッテリーは定期的に交換が必要な部品である。
【０００４】
ところで旧来のトンネル灯では、トンネル壁面に設置した後にＨＩＤランプなどを定期的に交換する必要があるため、トンネル灯の前面（光照射面）にヒンジ付きの蓋を取り付けている構造が一般的だった（特許文献１参照）。このような構造の照明器具であれば、バッテリーと常用・非常用切換装置を常用点灯の照明器具に内蔵すれば、比較的簡単に「停電時照明」に対応できる照明器具とすることができる。
【０００５】
しかしながら、最近のＬＥＤトンネル灯は、小形・高効率・長寿命というＬＥＤの特性を生かすため、照明器具の筐体を小形化すると共に、照明器具の前面にガラス板を接着剤やボルトで固定し、容易に開閉できない構造としているものがある。この種の照明器具では、筐体の内部空間に余裕があったとしても、バッテリーを筐体に内蔵すると定期交換ができないか非常に困難である。
【０００６】
このため、「停電時照明」に対応できるトンネル灯は、常用点灯用のトンネル灯とは別に、筐体の一部が開閉できてバッテリー交換が可能な構造の照明器具を新規に設計する必要がある。
【０００７】
しかし、１本のトンネルに使用する多数の照明器具の内、停電時対応トンネル灯はごく一部である。停電時以外は常用のトンネル灯と兼用するためには、明るさや配光を常用点灯用のトンネル灯と同じものにしたい。それならば、小形・軽量の常用点灯用トンネル灯を利用して「停電時照明」に対応できる照明器具を作る方が有利である。
【０００８】
そこで常用点灯用の照明器具の筐体をそのまま利用して第１の筐体とし、少なくともバッテリーを内蔵した開閉可能な第２の筐体を第１の筐体に連結する構造が考えられる。照明器具を連結する技術としては、長尺の埋込ボックスの中にユニット式の照明器具を複数取り付けた照明器具において、筒状のパッキンを介して隣接するユニット間を連結する方法がある（特許文献２参照）。また防水構造ではないが、隣接するユニットを平板状またはコの字状の連結具で連結する方法がある（特許文献３参照）。
【先行技術文献】
【特許文献】
【０００９】
【特許文献１】特開２０１８―１４７７７４号公報
【特許文献２】特開２００４―１４６２１３号公報
【特許文献３】特開２００３―２９７１１３号公報
【発明の概要】
【発明が解決しようとする課題】
【００１０】
特許文献２に開示されている連結構造をトンネル灯に適用するには、常用点灯用筐体とバッテリー内蔵筐体とを含む全体を一つの取付用部材に内蔵する必要がある。トンネル灯の大きさでこの構造を実施しようとすると照明器具全体の大きさおよび重量が増え、小形・軽量という特長が無くなる。また特許文献３に開示されている技術を利用しようとしても、トンネル灯は防水構造が必要なので適用がむずかしい。また光源を内蔵する第１の筐体と、バッテリーを内蔵する第２の筐体とをつなぐ連結部には数本の電線が通るため、電線の被覆を傷つけないような配慮も必要となる。
【課題を解決するための手段】
【００１１】
上記課題を解決するため、本発明の照明器具は、複数の筐体を連結して成る照明器具において、隣接する前記筐体は、平板状弾性体の連結パッキンを前記隣接する筐体の端面同士で押圧することにより防水構造となるように連結されており、前記連結パッキン及び該連結パッキンに接触している前記筐体の端部には連通穴が設けられており、前記連結パッキンに設けられた前記連通穴の開口径は前記筐体端面に設けられた前記連通穴の開口径より小さく設定されていることを特徴とする照明器具である。
【００１２】
また前記照明器具において、前記隣接する筐体のそれぞれは、押出成形された筐体本体部の両端に筐体端板部を有しており、前記筐体端板部のうち他の筐体と隣接する筐体端板部に連通穴が設けられていてもよい。
【００１３】
また本発明の照明器具は、前記隣接する筐体の連結部後面側に前記隣接する２個の筐体を１枚の平板で連結固定する平板状の連結板が設けられている照明器具であってよい。
【００１４】
また本発明の照明器具において、前記隣接する筐体のそれぞれは、押出成形された筐体本体部の両端に筐体端板部を有しており、前記隣接する筐体の連結部後面側に平板状の連結板が設けられており、前記連結板は取付パッキンを介して前記筐体本体部に固定されている照明器具であってよい。
【００１５】
また前記照明器具において、前記照明器具の両端部には取付板が取付パッキンを介して取り付けられ、前記連結板と前記照明器具の両端部の取付板の厚さは同一であり、同一仕様の取付パッキンを介して同一仕様のボルトで締結されている構造であってよい。
【発明の効果】
【００１６】
本発明によれば、基本的な性能を満足する照明器具を第１の筐体とし、付加的な仕様に対応する第２の筐体を前記第１の筐体に連結することで、顧客の様々な要求仕様に対応できる照明器具を簡易に実現することが可能である。
【図面の簡単な説明】
【００１７】
【図１】本発明の照明器具の使用例を使用する示す図。
【図２】本発明の照明器具の一例を示す正面図。
【図３】図２の照明器具の部材構成図。
【図４】図２の照明器具の下面図。
【図５】図２の照明器具の連結部を示す断面図。（Ａ）は連通部。（Ｂ）はボルト締結部。
【図６】本発明の照明器具の別の一例を示す正面図。
【発明を実施するための形態】
【００１８】
以下、本発明に係る実施形態に関して、添付の図面を参照しながら詳細に説明する。なお図中の同じ要素に対しては同じ参照符号を付して、重複した説明を省略する。
【００１９】
図１は、照明器具１の設置状態を示す図である。図１に示すように、照明器具１は、道路１１が延びるトンネル１０の壁面又は天井面（本実施形態では天井面）に、道路１１に沿って所定間隔で設置される。道路１１は、平行に延びる２本の車道外側線１２Ａ、１２Ｂで路面１２が区画されている。本実施形態では、照明器具１は、直近側（手前側）の車道外側線１２Ａから幅Ｌ１だけ路面１２に進入した位置に、灯具直下軸Ｋが遠方側（手前側と反対側）の車道外側線１２Ｂから幅Ｌ２だけ手前側に位置する姿勢でトンネル１０の天井面に設置されている。なお、本明細書では、道路１１が延びる方向（車両が走行する方向）を縦断方向Ｊと定義し、この縦断方向Ｊに直交する方向を横断方向Ｍと定義する。なお、本例のように、照明器具１がトンネル１０の片側だけに配置される場合、この照明器具１は道路１１の横断方向全体にわたって照明できるような配光を有している。
【００２０】
本実施例は、通常のトンネル灯の筐体を利用して、停電時にも照明できるトンネル灯を実現したものである。図２から図５に、本発明の照明器具１の一例を示す。図２は正面図であり、図３は部材構成図であり、図４は図２と同じ照明器具１を下面から見た図である。本明細書においては、図２に記載された「上下左右」の方向を照明器具１の上下左右とする。また光照射口３１および開口部３２が見える側を前面、裏側を後面とする。本実施例の照明器具１は防水形照明器具である。
【００２１】
照明器具１の両端部にはそれぞれ取付板５４が設けられている。それぞれの取付板５４は、図４に示すように、それぞれ取付パッキン５３を介して筐体の本体部（２１Ｍおよび２２Ｍ）後面に２本のボルト６１で固定されている。
【００２２】
図２において、２１は第１筐体であり、ＬＥＤ２３Ｌを搭載したＬＥＤ基板２３（ＬＥＤ光源）および点灯装置２７を含む部材を内蔵している。２２は第２筐体であり、バッテリー２９を含む部材を内蔵している。第１筐体２１にはさらに切換装置２８も内蔵している。第１筐体２１だけで常用点灯用のトンネル灯として機能する。ただし常用点灯だけならば切換装置２８は必要ない。本実施例では第１筐体２１の内部空間に余裕があり、切換装置２８は定期交換の必要が無いため、第１筐体２１に切換装置２８を内蔵している。第１筐体２１の一方の端面から防水ブッシング２５を介して給電ケーブル２４が第１筐体２１の内部に引き込まれている。第１筐体２１の内部では、給電ケーブル２４の外装被覆をはがされた給電線２６が切換装置２８に接続されている。この結線は照明器具組立時に工場内で実施される。切換装置２８は照明器具１の外部から供給された電力を、常用点灯時には点灯装置２７に送ると共に、バッテリー２９に送ってバッテリー２９を充電させる。外部からの電力が途絶えると、切換装置２８はバッテリー２９からの電力を受けて点灯装置２７に送る。
【００２３】
第１筐体２１は第１筐体本体部２１Ｍとその両端に接続されている第１筐体端板部２１Ｓ１、２１Ｓ２からなる箱形となっている。第１筐体２１全体の形状は略直方体である。前面の光照射口３１が開口部であり、図３に示すように光照射窓３１Ｇが第１筐体２１にネジ止めされている。この光照射窓３１Ｇは工場出荷後に照明器具１から外すことは想定されていない。
【００２４】
第２筐体２２は第２筐体本体部２２Ｍとその両端に接続されている第２筐体端板部２２Ｓ１、２２Ｓ２からなる箱形となっている。第２筐体２２全体の形状は略直方体である。前面の３２が開口部であり、図３に示すように蓋３２Ｇが第２筐体２２に取り付けられる。蓋３２Ｇの端部には蝶番上部３３Ｕが取り付けられ、第２筐体端板部２２Ｓ２には蝶番下部３３Ｄが取り付けられる。蝶番上部３３Ｕおよび蝶番下部３３Ｄの組合せにより、蓋３２Ｇは第２筐体２２に容易に開閉できるように取り付けられている。光照射窓３１Ｇはガラス板などの光透過性材料で作られているが、蓋３２Ｇはアルミ合金などの光を透過しない材質であってもよい。また第２筐体端板部２２Ｓ２にはさらに気体は透過するが水は通さない通気フィルター３４も取り付けられている。このように、本実施例の照明器具１に使用している筐体端板部は基本的に同一形状に成型されており、必要に応じて比較的小さい部材である筐体端板部に追加工をおこなうことにより、さまざまな顧客要求仕様に容易に対応することができる。第１筐体２１と第２筐体２２とは、それぞれの長軸方向（図２の左右方向）を一致させ、直線状に連結されている。
【００２５】
それぞれの筐体本体部（２１Ｍおよび２２Ｍ）はアルミニウム合金などの押出成形で製造される。第１筐体本体部２１Ｍと第２筐体本体部２２Ｍとは同じ型から押出成形されており、本実施例に使用されている長さ以外にも照明器具１の仕様に応じて適当な長さの部材を製造することができる。それぞれの筐体端板部（２１Ｓ１、２１Ｓ２、２２Ｓ１および２２Ｓ２）はアルミニウム合金などのダイカスト成形で製造され、本実施例の照明器具１に使用されている筐体端板部はすべて同じ金型から製造されている。
【００２６】
図５は照明器具１の連結部拡大断面図である。（Ａ）は図２における切断線Ａ−Ａに沿った連通穴３６付近の断面であり、（Ｂ）は切断線Ｂ−Ｂに沿ったボルト６１付近の断面である。本実施例において、連結パッキン５１は平板状弾性体から成る。連結部は２本のボルト６１によって第１筐体端板部２１Ｓ１と第２筐体端板部２２Ｓ２とを近づけるように締め付ける。この作用で２つの筐体端板部（２１Ｓ１および２２Ｓ１）が連結パッキン５１を押圧し防水性能が確保される。すなわち平板状弾性体の連結パッキン５１を隣接する筐体（２１および２２）の端面同士で押圧することにより防水構造となるように連結されている。
【００２７】
３６は第１筐体２１と第２筐体２２とを連通する連通穴３６であり、連結パッキン５１およびその連結パッキン５１を挟んでいる２つの筐体端板部（２１Ｓ１および２２Ｓ１）に設けられている。ただし連結パッキン５１に設けられた連通穴３６の径をＤ１とすると、筐体端板部（２１Ｓ１および２２Ｓ１）に設けられた連通穴３６の径はＤ１より大きいＤ２に設定されている。この構成により、連通穴３６を通る電線は、弾性体から成る連結パッキン５１の連通穴３６のみと接触し、金属製の筐体端板部の連通穴３６には接触しない。また図示されていないが、連通穴３６の中を切換装置２８とバッテリー２９とを電気的に接続する電線が数本通っている。
【００２８】
Ｄ１とＤ２との差は、２ｍｍ以上（すなわち片側１ｍｍ以上）であれば電線が筐体端板部の連通穴３６に接触しないという効果は得られる。しかし、本実施例のように平板状の連結パッキン５１を筐体端板部の平面で押圧する構成では、連結パッキン５１と筐体端板部の連通穴３６の相対位置がずれることもあるため、Ｄ１とＤ２との差を５ｍｍ以上とするのがよい。本実施例では連結パッキン５１の厚さは１．５ｍｍで連通穴３６の径Ｄ１は１５ｍｍ、筐体端板部（２１Ｓ１および２２Ｓ１）の連通穴３６の径Ｄ２は２２ｍｍとしている。Ｄ１とＤ２との差を大きくしすぎても意味がなく、むしろ筐体の強度が小さくなってしまうため、「Ｄ１−Ｄ２」の差は１０ｍｍ以内とするのがよい。すなわち前記連結パッキン５１に設けられた前記連通穴３６の開口径は、２ｍｍ以上１０ｍｍ以下の数値範囲で、前記筐体端板部に設けられた前記連通穴３６の開口径より小さく設定されていればよい。
【００２９】
また図５に示す通り、筐体連結部の連結部後面側には２個の取付パッキン５３を介して連結板５２が取り付けられている。連結板５２は筐体連結部に外力が加わった時に連結部が破壊されたり、連結部の間隔が開いて防水性能が劣化したりすることを防いでいる。また取付パッキン５３は厚さが比較的厚い部分と比較的薄い部分とを有し、筐体本体部の後面と筐体端板部の後面とに同時に接している。すなわち取付パッキン５３は連結板５２と筐体本体部（２１Ｍおよび２２Ｍ）と前記筐体端板部（２１Ｓ１および２２Ｓ１）の５か所に同時に接触している。この構成により、照明器具１がトンネル１０に設置された後で振動が加わった場合にも、筐体連結部に伝わる振動を抑えることができる。このように、前記隣接する筐体の後面側に、前記隣接する２個の筐体を１枚の平板で連結固定する連結板が設けられていることで、筐体連結部の強度を高めることができる。
【００３０】
また筐体連結部の連結板５２の取付に使用されている取付パッキン５３は前述した取付板５４と筐体との間に使用されているものと同一仕様の部材である。さらに取付用のボルト６１も両方の取付板５４に使用されているものと同一仕様であり、連結板５２の板厚は取付板５４の板厚と同寸法である。
【００３１】
連結板５２と両端部の取付板５４の関係は図４を参照するとよく理解できる。連結板５２と両端部の取付板５４の厚さは同一であり、同一仕様の取付パッキン５３を介して同一仕様のボルト６１で締結されている。取付パッキンが同一仕様とは、正面図においての形状は多少異なっていてもよいが、厚さ方向の寸法は取付パッキンの各部で一致しているものを言う。ボルトが同一仕様とは、少なくともボルト頭部の形状寸法が同一のものを言う。ボルトネジ部の長さは異なってもいい。また６１の部材はボルトに限らず、トラスネジなど、他のネジ部材であってもよい。またはネジ棒の一端にナットを２重に締め付けたものでもよい。ただし、このダブルナットからネジ棒が飛び出さないように締め付けているものとする。
【００３２】
このように、連結板５２と取付板５４の固定部周りの厚さ方向寸法を同一仕様にしているので、組立後の照明器具１をトンネル１０の路面１２など、設置現場近くの水平面に仮置きした時に、照明器具１の両端および連結部の後面側が同時に路面１２に接触する。実施例の照明器具１では、照明器具１両端の取付板５４を固定する２個ずつのボルト６１と連結板５２を固定する４個のボルト６１の頭部、合わせて８か所が水平面に接して照明器具１を支えることになる。そのため照明器具１の上に荷物を置くなど、照明器具１の中央部に自重を超える荷重がかかったとしても、照明器具１を折り曲げようとする力が生じることはない。また照明器具１をトンネル１０に設置する際には、例えばトンネル１０壁面にアンカーボルトを打ち込み、台座となる金具をトンネル１０壁面に固定したうえで、照明器具１の両端に設けられた取付板５４を前記台座に固定する。このため照明器具１がトンネル１０に設置された後は、連結板５２がトンネル１０壁面に接触することはない。
【００３３】
図６は上記の照明器具１とは別の照明器具２を示している。同一符号は上記の照明器具１と同じ部材を示す。図６の照明器具２においては、第１筐体２１の右側に第２筐体２２が取り付けられている。このように第２筐体２２の連結箇所は第１筐体２１の右側でも左側でもよい。連結側の第１筐体端板部２１Ｓ１および第２筐体端板部２２Ｓ１は、図２の照明器具１のために製作した部品をそのまま流用できる。
【００３４】
図６の照明器具２においては、第２筐体２２にはバッテリーが入っておらず、端子台３５が内蔵されている。また照明器具右端部取付側の第２筐体端板部２２Ｓ２には防水ブッシング２５が取り付けられている。このような構成の照明器具２はトンネル１０に設置した後、給電ケーブル２４の先端部を防水ブッシング２５から照明器具２内に導入し、蓋３２Ｇを開けて、端子台３５に給電線２６を取り付けることができる。もちろん第２筐体２２の中に、端子台３５と共にバッテリーを入れることもできる。
【００３５】
本実施例では２個の筐体を連結した照明器具について説明したが、３個以上の筐体を連結することもできる。この場合には、取付板は照明器具の右端と左端となる筐体のみに設けられる。上述のように連結板と取付板の固定部周りの厚さ方向寸法を同一仕様にしておけば、路面などの水平面に照明器具を置いた時に、照明器具の両端および連結部の後面側が同時に路面に接触する。そのため照明器具の左右方向の寸法が長くなっても照明器具を折り曲げようとする力が生じることはない。
【００３６】
以上説明した通り、本発明に係る照明器具は、複数の筐体を組み合わせて、新たな機能を有する照明器具を簡易に構成することができる。
【００３７】
本発明の実施例に係る照明器具は、複数の筐体のそれぞれが、押出成形の筐体本体部の両端に筐体端板部を取り付けた構造となっている。筐体端板部には、必要に応じて防水ブッシングや通気フィルターや蝶番などの部材を取り付けている。そのため付加部材の取付穴や連通穴などの追加工をおこなう必要があるが、比較的寸法の小さい筐体端板部のみを加工すればよいので、一体化した筐体の端部を追加工する工程と比較すると、大幅に加工コストを下げることができる。
【００３８】
また顧客要求により、３個以上の筐体を連結する場合でも、隣接する筐体の連結部を本発明の請求項に記載された通りの構成にすれば、新規部品の増加を最小限に抑えたさまざまな仕様の照明器具を製造することができる。
【符号の説明】
【００３９】
１、２      照明器具
１０        トンネル
１１        道路
１２        路面
２１        第１筐体
２１Ｍ      第１筐体本体部
２１Ｓ１    第１筐体端板部（連結側）
２１Ｓ２    第１筐体端板部（取付側）
２２        第２筐体
２２Ｍ      第２筐体本体部
２２Ｓ１    第２筐体端板部（連結側）
２２Ｓ２    第２筐体端板部（取付側）
２３        ＬＥＤ基板
２３Ｌ      ＬＥＤ
２４        給電ケーブル
２５        防水ブッシング
２６        給電線
２７        点灯装置
２８        切換装置
２９        バッテリー
３１        光照射口
３１Ｇ      光照射窓
３２        開口部
３２Ｇ      蓋
３３Ｕ      蝶番上部
３３Ｄ      蝶番下部
３４        通気フィルター
３５        端子台
３６        連通穴
５１        連結パッキン
５２        連結板
５３        取付パッキン
５４        取付板
６１        ボルト
Ｄ１        連結パッキンの連通穴径
Ｄ２        筐体端板部の連通穴径
【図１】
2020107469.tif 000003
【図２】
2020107469.tif 000004
【図３】
2020107469.tif 000005
【図４】
2020107469.tif 000006
【図５】
2020107469.tif 000007
【図６】
2020107469.tif 000008